(57)【要約】【課題】遊技球を頻繁に補充したり、受皿の遊技球がこぼれてしまうおそれを排除し、球箱等に移した遊技球を直ちに受皿に戻す必要のない遊技機を提供する。【解決手段】遊技機本体１の正面を開閉するドア４の受皿パネル１０に、遊技機本体１から払い出された遊技球Ｐを収容する受皿１２を設け、受皿１２を上皿１３と下皿１５とに分割してこれら上皿１３と下皿１５との間には空隙１６を形成するとともに、上皿１３と下皿１５のうち少なくとも上皿１３の背面壁に遊技球Ｐの払出口１１を形成する。そして、上皿１３に、下方の下皿１５内に遊技球Ｐを排出する球抜き口１４を開閉可能に設け、下皿１５に、上皿１３の下部との空隙１６を開閉する開閉体１８を設ける。開閉板２２の閉塞により上皿１３と下皿１５の間の空隙１６を遊技球Ｐの収容空間にできるので、遊技球Ｐの収容量の増大が期待できる。【選択図】図２
2009028307.tif 000002
【特許請求の範囲】
【請求項１】
遊技機本体の正面を開閉するドアに、遊技機本体から払い出された遊技球を収容する受皿を設けた遊技機であって、
受皿を上皿と下皿とに分割してこれら上皿と下皿との間には空隙を形成するとともに、上皿と下皿のうち少なくとも上皿の背面壁に遊技球の払出口を形成し、上皿には、下方の下皿内に遊技球を排出する球抜き口を開閉可能に設け、下皿には、上皿の下部との空隙を開閉する開閉体を設けたことを特徴とする遊技機。
【請求項２】
下皿の側方に、上皿と下皿の少なくともいずれか一方の遊技球を収容可能な予備皿を設け、下皿と予備皿の間と下皿の下部のうち、少なくとも下皿の下部に遊技球の球抜き口を設け、この球抜き口を開閉部材により開閉するようにした請求項１記載の遊技機。
【請求項３】
下皿の内底面を傾斜させ、下皿内の遊技球を予備皿に誘導するようにした請求項２記載の遊技機。
【請求項４】
上皿の正面壁よりも下皿の正面壁を遊技機本体の正面側に延長して下皿内の遊技球の取り出しを容易にし、
開閉体を、下皿の正面壁に支持され、上皿の下部との空隙を開閉する上下動可能な開閉板と、この開閉板の上部に形成され、上皿の下部に係止する係止爪とから形成した請求項１、２、又は３記載の遊技機。
【発明の詳細な説明】
【技術分野】
【０００１】
本発明は、パチンコ遊技機に代表される遊技機に関するものである。
【背景技術】
【０００２】
従来、パチンコ遊技機を使用して遊技する場合には、図示しない操作ハンドルを操作して受皿の遊技球を発射装置により発射し、この遊技球を遊技盤の遊技領域上方に次々と打ち込むようにしている。打ち込まれた遊技球は、釘等との衝突に伴い軌道や速度を不規則に変更しながら落下し、始動入賞口装置等に入賞したり、アウト穴に回収される。遊技球が始動入賞口装置に入賞し、始動入賞球検知センサに検知されると、可変表示装置に抽選用の特別図柄が複数表示されて回転等の演出を行なう。
【０００３】
変動する複数の特別図柄が停止して揃い、予め定められた特別図柄の組み合わせに該当して大当たり状態になると、遊技状態が通常遊技状態から遊技者に有利な特別遊技状態に移行して大入賞口装置の大入賞口が開放し、この開放した大入賞口に落下してきた遊技球が多数入賞し、この遊技球の入賞数に応じて遊技球が大当たりの賞球として多数払い出されることとなる（特許文献１参照）。
【特許文献１】特開２００５−７３９１９号公報
【発明の開示】
【発明が解決しようとする課題】
【０００４】
従来の遊技機は、以上のように構成され、受皿の複数の遊技球を収容するようにしているが、受皿の個数にかかわらずその最大収容量が少ないので、遊技球を頻繁に補充しなければならず、その結果、遊技者が遊技に集中することが出来ないという問題がある。また、受皿の内底が浅い場合には、遊技中に受皿から遊技球がこぼれ落ちてしまうおそれがある。さらに、大当たり状態になる確率が高い場合、あるいは一回当たりの大当たりラウンド回数や出球の少ない場合には、ドル箱と呼ばれる球箱に移した遊技球を直ちに受皿に戻さなくてはならないという問題もある。
【０００５】
本発明は上記に鑑みなされたもので、遊技球を頻繁に補充したり、受皿の遊技球がこぼれてしまうおそれを排除し、球箱等に移した遊技球を直ちに受皿に戻す必要のない遊技機を提供することを目的としている。
【課題を解決するための手段】
【０００６】
本発明においては上記課題を解決するため、遊技機本体の正面を開閉するドアに、遊技機本体から払い出された遊技球を収容する受皿を設けた遊技機であって、
受皿を上皿と下皿とに分割してこれら上皿と下皿との間には空隙を形成するとともに、上皿と下皿のうち少なくとも上皿の背面壁に遊技球の払出口を形成し、上皿には、下方の下皿内に遊技球を排出する球抜き口を開閉可能に設け、下皿には、上皿の下部との空隙を開閉する開閉体を設けたことを特徴としている。
【０００７】
なお、下皿の側方に、上皿と下皿の少なくともいずれか一方の遊技球を収容可能な予備皿を設け、下皿と予備皿の間と下皿の下部のうち、少なくとも下皿の下部に遊技球の球抜き口を設け、この球抜き口を開閉部材により開閉することができる。
また、下皿の内底面を傾斜させ、下皿内の遊技球を予備皿に誘導することができる。
【０００８】
さらに、上皿の正面壁よりも下皿の正面壁を遊技機本体の正面側に延長して下皿内の遊技球の取り出しを容易にし、開閉体を、下皿の正面壁に支持され、上皿の下部との空隙を開閉する上下動可能な開閉板と、この開閉板の上部に形成され、上皿の下部に係止する係止爪とから形成することもできる。
【０００９】
ここで、特許請求の範囲における遊技球の払出口は、上皿の背面壁に形成しても良いし、上皿と下皿の背面壁にそれぞれ形成しても良い。また、予備皿は、上皿の遊技球を収容可能な皿でも良いし、下皿の遊技球を収容可能な皿でも良い。開閉体の開閉板は、透明、不透明、半透明のいずれでも良い。係止爪は、単数でも良いし、複数化することもできる。さらに、遊技機は、デジパチタイプ、ハネモノタイプ、権利者タイプ等を特に問うものではない。
【発明の効果】
【００１０】
本発明によれば、受皿を上皿と下皿とに分割してこれら上皿と下皿との間には空隙を形成するとともに、上皿と下皿のうち少なくとも上皿の背面壁に遊技球の払出口を形成し、上皿に、下方の下皿内に遊技球を排出する球抜き口を開閉可能に設け、下皿に、上皿の下部との空隙を開閉する開閉体を設けるので、遊技球を頻繁に補充したり、受皿の遊技球がこぼれてしまうおそれを排除し、球箱等に移した遊技球を直ちに受皿に戻す必要が少ないという効果がある。
【００１１】
また、下皿の側方に、上皿と下皿の少なくともいずれか一方の遊技球を収容可能な予備皿を設ければ、開閉体により遊技球を取り出し不能な下皿から予備皿に遊技球を移し、この遊技球を上皿に収容して遊技を楽しむことができる。また、下皿と予備皿の間と下皿の下部のうち、少なくとも下皿の下部に遊技球の球抜き口を設け、この球抜き口を開閉部材により開閉すれば、必要に応じ、下皿から外部下方の球箱等に遊技球を球抜き口を介して移すことができる。
【００１２】
また、下皿の内底面を傾斜させ、下皿内の遊技球を予備皿に誘導するようにすれば、遊技球を指で押さなくても下皿から予備皿に遊技球を移動させ、円滑に収容したり、利用することができるので、遊技球の不足に意識を乱されることなく、遊技に集中することが可能になる。
また、上皿の正面壁よりも下皿の正面壁を遊技機本体の正面側に延長して下皿内の遊技球の取り出しを容易にすれば、上皿と下皿の間の空隙や下皿に対する手の侵入領域が拡大するので、下皿から遊技球を落とすことなく取り出すことが可能になる。
【００１３】
また、開閉体を、下皿の正面壁に支持され、上皿の下部との空隙を開閉する上下動可能な開閉板と、この開閉板の上部に形成され、上皿の下部に係止する係止爪とから形成すれば、開閉板を上昇させ、かつ上皿の下部に開閉板の係止爪を係止させることにより、上皿と下皿の間の空隙を遊技球用の収容空間として利用することが可能になる。したがって、遊技球の収容量を受皿が単に複数個ある場合よりも、さらに増大させることができる。
【００１４】
また、開閉板を下降させて下皿の正面壁に収納すれば、下皿の遊技球を取り出すことが可能な状態となり、下皿の遊技球を活用して遊技を継続することができる。さらに、開閉体の開閉板を単に引き上げるのではなく、上皿の下部に開閉板の係止爪を引っ掛けるようにすれば、開閉板が自由落下して空隙を埋める遊技球がこぼれ落ちることがない。
【発明を実施するための最良の形態】
【００１５】
以下、図面を参照して本発明の好ましい実施の形態を説明すると、本実施形態における遊技機は、図１ないし図４に示すように、遊技球Ｐの球貸機であるＣＲユニットに隣接する遊技機本体１の正面を開閉するドア４の受皿パネル１０に、遊技機本体１から払い出された遊技球Ｐを収容する受皿１２を備え、この受皿１２を上皿１３と下皿１５とに分割してこれら１３・１５の間には空隙１６を形成し、この空隙１６を必要に応じて遊技球Ｐの収容空間にするようにしている。
【００１６】
遊技球Ｐは、図１や図２に示すように、例えば磁性を有する軟質線材やアルミキルド材を用いて直径１１ｍｍ程度の球に形成されている。また、ＣＲユニットは、図示しないが、プリペイドカードユニットとも呼ばれ、縦長のケースの正面にプリペイドカード用の挿入口が形成されており、この挿入口に遊技者の購入したプリペイドカードが挿入され、かつ遊技機の貸球用ボタンが押圧操作されることにより、所定の金額分の遊技球Ｐを貸球として供給するよう機能する。
【００１７】
遊技機本体１は、図１に部分的に示すように、ドア４に覆われる遊技盤３０と、この遊技盤３０の裏面側に設けられて全体を制御する制御装置と、少なくともこの制御装置に電力を供給する電源回路とを備え、図示しないホール（遊技店）のシマと呼ばれる一ブロックの木枠２に設置されている。
【００１８】
遊技機本体１は、正面視で縦長のフロントオープンボックスタイプに形成され、同じく縦長の木枠２内にヒンジ機構３を介し前後方向に回転可能に嵌合支持されており、正面を開閉するドア４がヒンジを介し回転可能に取り付けられている。この遊技機本体１は、その正面側の下側部に、発射制御基板の制御に基づき遊技盤３０に遊技球Ｐを発射する発射装置が設置され、背面壁の上部には、シマの補給パイプから遊技球Ｐが補給される払出装置が設置されており、この払出装置のタンクから遊技球Ｐが貸球や賞球として正面側に球経路を介して払い出される。
【００１９】
遊技機本体１の背面壁の一側壁寄りには、木枠２に遊技機本体１をロックするロック機構が装着されるとともに、遊技機本体１にドア４をロックする複数のロック爪が上下方向に揺動可能に設けられている。遊技機本体１の一側壁（正面視右側）側には、挿入されたキーの回転操作に伴いロック機構と複数のロック爪をそれぞれ動作させるドアロック５が装着されている。また、遊技機本体１の他側壁（正面視左側）には、ドア４を支持するヒンジが上下方向に間隔をおいて取り付けられている。
【００２０】
ドア４は、図１に示すように、遊技機本体１に対応する縦長に形成される中空のドア枠６と、このドア枠６の中空領域にパネル枠を介し着脱自在に装着される透明パネル９と、ドア枠６の中空下部に回転可能に支持される受皿パネル１０とを備え、遊技機本体１の他側壁に前後方向に回転可能に支持されている。
【００２１】
ドア枠６は、その上部中央に、点灯したり点滅する枠ランプ７が装飾されたランプレンズを介して装着され、上部両側には、効果音や報知音等を鳴り響かせるスピーカ８がアレイやレンズ等を介しそれぞれ装着されている。このドア枠６は、その一側部に、遊技機本体１の一側壁側における複数のロック爪に係合するロック片が取り付けられ、他側部と遊技機本体１の他側壁におけるヒンジを介し前後方向に回転可能に支持されている。
【００２２】
透明パネル９は、所定の合成樹脂やガラス板等を使用して縦長の矩形に形成され、遊技盤３０に対する遊技者の視認を可能とする。この透明パネル９の表面側の上部両側には、ドア枠６のスピーカ８やそのレンズがそれぞれ位置している。
【００２３】
受皿パネル１０は、表面に様々な装飾の施された正面視横長の矩形に形成され、複数の払出口１１、複数の遊技球Ｐを収容する受皿１２、及びハンドル機構２５等が配設されており、透明パネル９の直下に位置する。複数の払出口１１は、受皿パネル１０の上部に設けられ、払出装置から貸球や賞球として払い出された遊技球Ｐを受皿１２に導くよう機能する。
【００２４】
受皿１２は、図１ないし図４に示すように、上皿１３と下皿１５とに二分割され、これら上皿１３と下皿１５との間には、遊技者の手の挿入を許容する空隙１６が形成されており、上皿１３と下皿１５との背面壁上部には、それぞれ遊技球Ｐの払出口１１が正面略矩形に穿孔される。上皿１３は、図１や図２に示すように、合成樹脂を含む所定の成形材料により上部が開口した箱形に成形され、底部には、直下の下皿１５に遊技球Ｐを排出する球抜き口１４が丸く穿孔されており、この球抜き口１４がスライド可能な開閉シャッタにより開閉される。
【００２５】
下皿１５は、図１ないし図４に示すように、上皿１３同様の成形材料により正面上方が開口した形に成形され、正面壁１７が上皿１３の正面壁よりも遊技機本体１の正面側に延長されて遊技球Ｐの取り出しが容易化されており、正面壁１７内には、上皿１３の下部との空隙１６を開閉する開閉体１８が上下動可能に配設されている。
【００２６】
下皿１５の側方（図１ないし図４の左側）には、下皿１５の遊技球Ｐを収容可能な予備皿１９がトップオープン構造に並設され、下皿１５と予備皿１９との間の壁、及び下皿１５の底部には、遊技球Ｐの球抜き口２０がそれぞれ丸く穿孔されており、各球抜き口２０がスライド可能な開閉シャッタにより開閉される。
【００２７】
下皿１５の内底面２１は予備皿１９方向に傾斜して形成され、この内底面２１の傾斜により、下皿１５内の遊技球Ｐが球抜き口２０を経由して予備皿１９に自然に誘導される（図２参照）。下皿１５の球抜き口２０の下方にはドル箱と呼ばれる球箱が配置され、この球箱がホールの床に適宜配置される。また、予備皿１９は、上皿１３や下皿１５同様の成形材料により成形され、上皿１３や下皿１５よりも小型に形成されており、収容した遊技球Ｐが遊技者に上方から握持される。
【００２８】
開閉体１８は、図１、図３、図４に示すように、下皿１５の正面壁１７に内蔵支持され、上皿１３の下部との空隙１６を開閉する上下動可能な透明の開閉板２２と、この開閉板２２の上端部に間隔をおき並べて突出形成され、上皿１３の下部に凹み形成された複数の係止穴にそれぞれ着脱自在に係止する複数（本実施形態では２個）の係止爪２３とから形成されている。
【００２９】
開閉板２２は、上皿１３の正面壁下部に接触するよう断面視で湾曲形成され、上皿１３の下部正面と下皿１５の空隙１６を閉塞することにより、この空隙１６を遊技球Ｐの収容空間とするよう機能する。この開閉板２２の上端部中央には、複数の係止爪２３の間に位置する手動操作用の取手２４が一体形成されている。また、各係止爪２３は、上皿１３の下部の係止穴に対する係止が容易なよう、例えばＪ字形、Ｌ字形、矢印形状等に屈曲形成されている。
【００３０】
ハンドル機構２５は、図１等に示すように、受皿パネル１０の下部一側（正面視右側下部）に取り付けられ、この受皿パネル１０から回転可能に露出した略半球形の操作ハンドル２６が遊技者に握持されて回転操作されることにより、受皿１２の上皿１３内に貯留され、供給路上流に位置する遊技球Ｐを球送り出し機構により下流の発射装置に供給するとともに、この発射装置の発射槌を駆動して遊技球Ｐを遊技盤３０に発射するよう機能する。
【００３１】
ハンドル機構２５は、操作ハンドル２６が時計方向に回転操作される程、遊技球Ｐが強く打ち出されるよう調整されている。操作ハンドル２６には、遊技球Ｐの打ち出しを一時停止する一時停止ボタンが押圧操作可能に設けられている。
【００３２】
遊技盤３０は、詳細は図示しないが、例えば略正方形のベニヤ板を備え、このベニヤ板の表面に遊技者が好む様々なデザインの印刷された合成樹脂シートが覆着されており、遊技機本体１の略中央部よりも上方の部分で開口した正面の開口部に着脱自在に装着されている。この遊技盤３０の表面周縁部には、遊技機本体１下方の発射装置から発射された遊技球Ｐを案内する内外複数のガイドレールが湾曲して取り付けられるとともに、合成樹脂製の装飾された区画壁が装着されている。
【００３３】
複数のガイドレールは、図示しないが、例えば可撓性の長板を用いて略Ｃ字形や略逆Ｊ字形に形成され、区画壁と共に遊技球Ｐの打ち込まれる略円形の遊技領域を区画形成しており、この遊技領域の内外に、複数の釘、複数の風車、複数の盤面ランプ、複数の入賞口装置、始動入賞口装置、複数の通過入賞口装置、可変表示装置、開閉可能な大入賞口装置、及びアウト穴が配設されている。
【００３４】
制御装置は、図示しないが、ホールの集中管理装置や球貸信号制御回路等に接続された主制御装置と、この主制御装置から制御信号を受信してその制御下で作動する副制御装置とを備え、これら主制御装置と副制御装置とが遊技機本体１の背面壁等に設置されるとともに、ＣＲユニット、払出装置、枠ランプ７、スピーカ８、盤面ランプ、入賞口装置、始動入賞口装置、通過入賞口装置、可変表示装置、装飾枠体、大入賞口装置等に電気的に接続されている。
【００３５】
電源回路は、図示しないが、交流電流を直流電流に変換して主制御装置と副制御装置に給電するよう機能する。この電源回路から主制御装置と副制御装置を介して給電される直流電流は、ＣＲユニット、発射装置、払出装置、枠ランプ７、スピーカ８、盤面ランプ、入賞口装置、始動入賞口装置、通過入賞口装置、可変表示装置、装飾枠体等に適宜のタイミングで分電される。
【００３６】
上記において、遊技機で遊技する場合には、受皿１２の上皿１３を遊技球Ｐで満たして発射装置により発射し、遊技を楽しめば良い。この遊技中、上皿１３に多数の遊技球Ｐを収容したが、なお収容しきれない場合には、上皿１３から下皿１５に遊技球Ｐが払出口１１を介し自動的に供給されるが、この際、開閉体１８の開閉板２２を取手２４により引き上げ、上皿１３の複数の係止穴に開閉板２２の係止爪２３をそれぞれ嵌入係止して強固に閉塞すれば良い。
【００３７】
すると、開放した状態の空隙１６が閉じた遊技球Ｐの収容空間に区画形成され、下皿１５に多数の遊技球Ｐを積み上げた状態で収容することができるので、遊技球Ｐの収容量をさらに増大させることができる（図３参照）。この開閉板２２を引き上げて閉塞した場合に、下皿１５の遊技球Ｐを使用したいときには、下皿１５と予備皿１９との間の球抜き口２０を開放し、下皿１５から予備皿１９に遊技球Ｐを移動させれば良い。
【００３８】
また、下皿１５の遊技球Ｐを使用したい場合には図１や図４に示すように、下皿１５の遊技球Ｐの収容量を視認して開閉板２２を開いても遊技球Ｐがこぼれ落ちないのを確認後、開閉板２２の取手２４に指をかけて押し下げ、上皿１３の係止穴と開閉板２２の係止爪２３との係合を解除し、下皿１５の正面壁１７内に開閉板２２を下げて収納すれば良い。
【００３９】
すると、閉じた遊技球Ｐの収容空間が開放した空隙１６になるので、遊技者が手を挿入して下皿１５の遊技球Ｐを握持することが可能な状態となる。これにより、下皿１５の遊技球Ｐを使用して遊技に興じることができる。
【００４０】
上記構成によれば、受皿１２を上皿１３、下皿１５、予備皿１９として受皿１２の最大収容量を増大させるので、遊技球Ｐを頻繁に補充する必要が全くなく、遊技者が遊技に集中することができる。また、開閉板２２の閉塞により上皿１３と下皿１５の間の空隙１６を遊技球Ｐの収容空間に形成できるので、遊技球Ｐの収容量の著しい増大が大いに期待できる。また、大当たり状態になる確率が高い場合、あるいは一回当たりの大当たりラウンド回数や出球の少ない場合でも、遊技球Ｐの収容量の増大により、球箱に移した遊技球Ｐを直ちに受皿１２に戻す必要がない。
【００４１】
また、上皿１３と下皿１５の間の空隙１６を収容空間化したり、上皿１３から下皿１５や予備皿１９に遊技球Ｐを簡単に移すことができるので、例え上皿１３の内底が浅くても、上皿１３から遊技球Ｐがこぼれ落ちてしまうおそれをきわめて有効に排除することができる。また、開閉体１８の開閉板２２を単に引き上げるのではなく、上皿１３の係止穴に開閉板２２の係止爪２３を嵌入係止するので、開閉板２２が自由落下して空隙１６を埋める遊技球Ｐがこぼれ落ちることがない。さらに、開閉体１８の開閉板２２が透明であるから、下皿１５や空隙１６の遊技球Ｐの有無を遊技者が容易に把握することが可能になる。
【００４２】
なお、上記実施形態では下皿１５の正面壁１７を上皿１３の正面壁よりも遊技機本体１の正面側に延長したが、下皿１５の正面壁１７を上皿１３の正面壁に揃え、開閉板２２を直線的な形にしても良い。また、各球抜き口１４・２０を開閉する開閉シャッタは、手動操作によりスライドするタイプが主ではあるが、センサの遊技球Ｐ検知に伴い自動的にスライドするタイプでも良い。
【００４３】
さらに、下皿１５に開閉体１８の開閉板２２をスライド可能に支持させたが、何らこれに限定されるものではない。例えば、下皿１５に開閉板２２を各種のバネを介して支持させ、このバネの弾圧付勢作用により、上皿１３と下皿１５との空隙１６を原則として上昇した開閉板２２により閉塞するようにしても良い。
【図面の簡単な説明】
【００４４】
【図１】本発明に係る遊技機の実施形態を模式的に示す全体斜視図である。
【図２】本発明に係る遊技機の実施形態における受皿を模式的に示す部分正面説明図である。
【図３】本発明に係る遊技機の実施形態における受皿の開閉体の開放状態を示す部分斜視説明図である。
【図４】本発明に係る遊技機の実施形態における受皿の開閉体の閉塞状態を示す部分斜視説明図である。
【符号の説明】
【００４５】
１          遊技機本体
４          ドア
１０        受皿パネル
１１        払出口
１２        受皿
１３        上皿
１４        球抜き口
１５        下皿
１６        空隙
１７        正面壁
１８        開閉体
１９        予備皿
２０        球抜き口
２１        内底面
２２        開閉板
２３        係止爪
Ｐ          遊技球
【図１】
2009028307.tif 000003
【図２】
2009028307.tif 000004
【図３】
2009028307.tif 000005
【図４】
2009028307.tif 000006